(57)【要約】【課題】画面表示を見ながら行う作業を中断することなく、センサーが検知している内容を利用者が把握する。【解決手段】センサー１２０−１〜１２０−２が、対象物の動きと形状との少なくとも一方を検知し、センサー１２０−１〜１２０−２が検知を行っている旨を示すアイコンを表示部１４０が表示する。【選択図】図１
2012208619.tif 000002
【特許請求の範囲】
【請求項１】
対象物の動きと形状との少なくとも一方を検知するセンサーと、
前記センサーが検知を行っている旨を示すアイコンを表示する表示部とを有する電子機器。
【請求項２】
請求項１に記載の電子機器において、
前記センサーを複数有し、
前記表示部は、前記複数のセンサーのうち、前記検知を行っているセンサーに応じたアイコンを表示することを特徴とする電子機器。
【請求項３】
請求項１に記載の電子機器において、
前記センサーは、撮影機能を具備するカメラであり、撮影している対象物の動きと形状との少なくとも一方を検知することを特徴とする電子機器。
【請求項４】
請求項３に記載の電子機器において、
前記表示部は、前記センサーが顔検知を行う場合、前記センサーが撮影している顔の位置を、前記顔検知に必要な位置へ誘導する表示を行うことを特徴とする電子機器。
【請求項５】
請求項１に記載の電子機器において、
前記表示部は、前記アイコンを表示画面の端に表示することを特徴とする電子機器。
【請求項６】
請求項１に記載の電子機器において、
前記表示部は、前記センサーが対象物の動きを検知しているとき、該動きに応じたアイコンを表示することを特徴とする電子機器。
【請求項７】
請求項１に記載の電子機器において、
前記表示部に代えて、前記センサーが検知を行っている旨を示す音を出力する音出力部を有することを特徴とする電子機器。
【請求項８】
電子機器の利用者へ通知を行う通知方法であって、
センサーを用いて対象物の動きと形状との少なくとも一方を検知する処理と、
前記検知を行っている旨を示すアイコンを表示する処理とを行う通知方法。
【請求項９】
請求項８に記載の通知方法において、
前記電子機器が複数のセンサーを搭載している場合、該複数のセンサーのうち、前記検知を行っているセンサーに応じたアイコンを表示する処理を行うことを特徴とする通知方法。
【請求項１０】
請求項８に記載の通知方法において、
センサーが撮影機能を具備するカメラである場合、撮影した対象物の動きと形状との少なくとも一方を検知する処理を有することを特徴とする通知方法。
【請求項１１】
請求項１０に記載の通知方法において、
前記センサーが顔検知を行う場合、前記センサーが撮影している顔の位置を、前記顔検知に必要な位置へ誘導する表示をする処理を行うことを特徴とする通知方法。
【請求項１２】
請求項８に記載の通知方法において、
前記アイコンを表示画面の端に表示する処理を行うことを特徴とする通知方法。
【請求項１３】
請求項８に記載の通知方法において、
前記センサーが対象物の動きを検知しているとき、該動きに応じたアイコンを表示する処理を行うことを特徴とする通知方法。
【請求項１４】
請求項８に記載の通知方法において、
前記アイコンの表示の代わりに、前記センサーが検知を行っている旨を示す音を出力する処理を行うことを特徴とする通知方法。
【請求項１５】
電子機器に、
センサーを用いて対象物の動きと形状との少なくとも一方を検知する手順と、
前記検知を行っている旨を示すアイコンを表示する手順とを実行させるためのプログラム。
【請求項１６】
請求項１５に記載のプログラムにおいて、
当該電子機器が複数のセンサーを搭載している場合、該複数のセンサーのうち、前記検知を行っているセンサーに応じたアイコンを表示する手順を実行させるためのプログラム。
【請求項１７】
請求項１５に記載のプログラムにおいて、
センサーが撮影機能を具備するカメラである場合、撮影した対象物の動きと形状との少なくとも一方を検知する手順を実行させるためのプログラム。
【請求項１８】
請求項１７に記載のプログラムにおいて、
前記センサーが顔検知を行う場合、前記センサーが撮影している顔の位置を、前記顔検知に必要な位置へ誘導する表示をする手順を実行させるためのプログラム。
【請求項１９】
請求項１５に記載のプログラムにおいて、
前記アイコンを表示画面の端に表示する手順を実行させるためのプログラム。
【請求項２０】
請求項１５に記載のプログラムにおいて、
前記センサーが対象物の動きを検知しているとき、該動きに応じたアイコンを表示する手順を実行させるためのプログラム。
【請求項２１】
請求項１５に記載のプログラムにおいて、
前記アイコンの表示の代わりに、前記センサーが検知を行っている旨を示す音を出力する手順を実行させるためのプログラム。
【発明の詳細な説明】
【技術分野】
【０００１】
本発明は、電子機器、通知方法およびプログラムに関し、特に、センサーを用いた電子機器、通知方法およびプログラムに関するする。
【背景技術】
【０００２】
近年、ＰＣ（Ｐｅｒｓｏｎａｌ  Ｃｏｍｐｕｔｅｒ）や携帯端末等の電子機器に、対象物の動きや形状を検知するセンサーが搭載されているものがある。
【０００３】
例えば、電子機器に搭載されたカメラで、操作する者（以下、利用者と称する）の顔を撮影し、撮影した顔があらかじめ登録されている顔であるかどうかを検知するセンサーが搭載された装置が考えられている（例えば、特許文献１参照。）。
【０００４】
また、センサーが複数搭載されている電子機器もある。例えば、上述したカメラで撮影した顔を検知する一方で、カメラで撮影した利用者の手の動きを検知するものもある。
【先行技術文献】
【特許文献】
【０００５】
【特許文献１】特開２００９−０６４１４０号公報
【発明の概要】
【発明が解決しようとする課題】
【０００６】
上述したような複数のセンサーが搭載された電子機器において、この複数のセンサーのうち、どのセンサーが現在動作しているかを利用者は知ることができない。そのため、利用者は電子機器が手の動きを検知していると思い込んで手を動かしても、そのとき当該電子機器が顔の検知を行っていると、検知の結果の処理が、所望のものとは異なってしまうという問題点がある。
【０００７】
また、例えば、顔の検知を行うセンサーは、検知を行っている際、カメラが撮影した画像をプレビュー画面として、電子機器に搭載されたディスプレイ等に表示する。このとき、そのプレビュー画面をディスプレイの一部に大きく表示するため、現在、行っている作業を中断しなければならないという問題点がある。例えば、当該電子機器で、文書入力作業を行っているときに、ある認証（例えば、あるサイトへの接続認証）を行うため顔検知を用いた顔認証を行う場合、上述したプレビュー画面によって文書入力作業の画面が隠れてしまうため、その作業を中断しなければならない。
【０００８】
本発明の目的は、上述した課題を解決する電子機器、通知方法およびプログラムを提供することである。
【課題を解決するための手段】
【０００９】
本発明の電子機器は、
対象物の動きと形状との少なくとも一方を検知するセンサーと、
前記センサーが検知を行っている旨を示すアイコンを表示する表示部とを有する。
【００１０】
また、本発明の通知方法は、
電子機器の利用者へ通知を行う通知方法であって、
センサーを用いて対象物の動きと形状との少なくとも一方を検知する処理と、
前記検知を行っている旨を示すアイコンを表示する処理とを行う。
【００１１】
また、本発明のプログラムは、
電子機器に実行させるためのプログラムであって、
センサーを用いて対象物の動きと形状との少なくとも一方を検知する手順と、
前記検知を行っている旨を示すアイコンを表示する手順とを実行させる。
【発明の効果】
【００１２】
以上説明したように、本発明においては、画面表示を見ながら行う作業を中断することなく、センサーが検知している内容を利用者が把握することができる。
【図面の簡単な説明】
【００１３】
【図１】本発明の電子機器の実施の一形態を示す図である。
【図２】図１に示した記憶部に記憶されているセンサー識別情報とアイコンとの対応付けの一例を示す図である。
【図３】図１に示した電子機器における通知方法の一例を説明するためのフローチャートである。
【図４】人の顔のアイコンが表示された表示部の表示画面の一例を示す図である。
【図５】手のアイコンが表示された表示部の表示画面の一例を示す図である。
【図６】図１に示した電子機器における通知方法の他の例を説明するためのフローチャートである。
【図７】誘導表示が表示された表示部の表示画面の一例を示す図である。
【図８】本発明の電子機器の他の実施の形態を示す図である。
【図９】図８に示した記憶部に記憶されているセンサー識別情報と音との対応付けの一例を示す図である。
【図１０】図８に示した電子機器における通知方法を説明するためのフローチャートである。
【発明を実施するための形態】
【００１４】
以下に、本発明の実施の形態について図面を参照して説明する。
【００１５】
図１は、本発明の電子機器の実施の一形態を示す図である。
【００１６】
本形態における電子機器１００には図１に示すように、センサー１２０−１〜１２０−２と、記憶部１３０と、表示部１４０とが設けられている。
【００１７】
センサー１２０−１〜１２０−２は、対象物の動きと形状との少なくとも一方を検知する。また、センサー１２０−１とセンサー１２０−２とは、例えば、センサー１２０−１が顔の検知を行い、センサー１２０−２が手の動きの検知を行うといった、互いに独立の検知を行う。また、センサー１２０−１〜１２０−２は、撮影機能を具備するカメラであっても良いし、人感センサーであっても良い。
【００１８】
また、センサー１２０−１〜１２０−２がカメラである場合、センサー１２０−１〜１２０−２が撮影している対象物の位置と、検知に必要な位置との差分を示す差分情報を表示部１４０へ出力するものであっても良い。
【００１９】
また、センサー１２０−１〜１２０−２は、検知動作を行っている間、その旨を表示部１４０へ通知する。
【００２０】
また、センサー１２０−１〜１２０−２は、対象物の動きを検知するものである場合、検知している動きを示す動き情報を表示部１４０へ出力する。
【００２１】
また、センサー１２０−１〜１２０−２は、電子機器１００に搭載されずに、電子機器１００との間で有線または無線で接続されているものであっても良い。
【００２２】
また、図１では、センサーが２つである場合を例に挙げて示しているが、１つであっても良いし、３つ以上であっても良い。
【００２３】
表示部１４０は、情報を表示するディスプレイ等である。また、表示部１４０は、センサー１２０−１〜１２０−２から、検知動作を行っている旨が通知されてきた場合、通知したセンサーに応じたアイコンを記憶部１３０から読み出す。
【００２４】
記憶部１３０は、センサー１２０−１〜１２０−２を識別するためのセンサー識別情報と、それに応じたアイコンとをあらかじめ対応付けて記憶している。
【００２５】
図２は、図１に示した記憶部１３０に記憶されているセンサー識別情報とアイコンとの対応付けの一例を示す図である。
【００２６】
図１に示した記憶部１３０には図２に示すように、センサー識別情報とアイコンとが対応付けられて記憶されている。図２に示した例では、その対応付けが２組であるが、１組であっても良いし、３組以上であっても良く、センサーの数だけ対応付けが記憶される。
【００２７】
センサー識別情報は、あらかじめセンサー１２０−１〜１２０−２それぞれに固有に付与されているものであり、互いに識別できるものであれば良い。例えば、数字から構成されるものであっても良いし、英文字や、英文字と数字との組み合わせで、構成されているものであっても良い。
【００２８】
アイコンは、一般的に利用されているアイコンと同様、表示部１４０に表示される簡単な絵や図からなる小さな画像である。アイコンの大きさが、表示部１４０の大きさと比べて、かなり小さいため、アイコンが表示された場合であっても、表示部１４０に表示されている画像を覆ってしまうことはない。
【００２９】
図２に示すように、センサー識別情報「１２０−１」と、人の顔のアイコンとが対応付けられて記憶されている。これは、センサー識別情報が「１２０−１」であるセンサーが検知動作をしているときに表示部１４０が表示するアイコンは人の顔のアイコンであることを示している。また、センサー識別情報「１２０−２」と、手のアイコンとが対応付けられて記憶されている。これは、センサー識別情報が「１２０−２」であるセンサーが検知動作をしているときに表示部１４０が表示するアイコンは手のアイコンであることを示している。
【００３０】
例えば、図２に示した対応付けが記憶部１３０に記憶されており、センサー識別情報が「１２０−１」であるセンサー１２０−１から検知動作を行っている旨が通知されてきた場合、表示部１４０は、センサー識別情報「１２０−１」と対応付けられている人の顔のアイコンを記憶部１３０から読み出す。また、センサー識別情報が「１２０−２」であるセンサー１２０−２から検知動作を行っている旨が通知されてきた場合、表示部１４０は、センサー識別情報「１２０−２」と対応付けられている手のアイコンを記憶部１３０から読み出す。
【００３１】
また、表示部１４０は、記憶部１３０から読み出したアイコンを表示する。このとき、表示部１４０は、アイコンを表示画面の端に表示する。
【００３２】
また、表示部１４０は、センサー１２０−１〜１２０−２から動き情報が出力されてきた場合、動き情報に応じたアイコンを表示するものであっても良い。この場合、記憶部１３０に、動き情報に応じたアイコンが記憶されている。例えば、センサー１２０−２が、手の動きを検知するものである場合、記憶部１３０には、手が動いていることを検知した時に表示部１４０が表示するアイコンとして、手が動いている動画を記憶している。そして、センサー１２０−２から手が動いていることを検知している旨を示す動き情報が出力されてきた場合、表示部１４０は、記憶部１３０から当該動き情報に応じたアイコン（手が動いている動画）を表示するものであっても良い。
【００３３】
また、表示部１４０は、センサー１２０−１〜１２０−２から差分情報が出力されてきた場合、差分情報に応じて、対象物を検知に必要な位置へ誘導する表示を行う。この処理の詳細については、後述する。
【００３４】
以下に、図１に示した電子機器１００における通知方法について説明する。
【００３５】
図３は、図１に示した電子機器１００における通知方法の一例を説明するためのフローチャートである。ここで、図１に示した記憶部１３０には、図２に示した対応付けが記憶されている場合を例に挙げて説明する。また、センサー１２０−１〜１２０−２がカメラであり、撮影している対象物の形状や動きを検知する場合を例に挙げて説明する。
【００３６】
まず、撮影している対象物についてのセンサー１２０−１の検知動作が開始されると（ステップＳ１）、センサー１２０−１から表示部１４０へその旨が通知される。
【００３７】
すると、表示部１４０によって、センサー１２０−１のセンサー識別情報と対応付けられている人の顔のアイコンが記憶部１３０に記憶されている対応付けから読み出される（ステップＳ２）。
【００３８】
そして、表示部１４０によって、読み出された人の顔のアイコンが表示画面の端に表示される（ステップＳ３）。
【００３９】
図４は、人の顔のアイコンが表示された表示部１４０の表示画面の一例を示す図である。
【００４０】
図４に示すように、表示部１４０の端に人の顔のアイコン２００が表示される。このとき、図４に示すように、アイコン２００は、表示部１４０の大きさと比べて小さく、また表示部１４０の端に表示されるため、表示部１４０に表示されている画面を覆ってしまうことはない。これにより、アイコン２００の表示が、利用者が現在行っている作業を中断させてしまうことはない。
【００４１】
また、同様に、ステップＳ１にて、撮影している対象物についてのセンサー１２０−２の検知動作が開始されると、センサー１２０−２から表示部１４０へその旨が通知される。
【００４２】
すると、ステップＳ２にて、表示部１４０によって、センサー１２０−２のセンサー識別情報と対応付けられている手のアイコンが記憶部１３０に記憶されている対応付けから読み出される。
【００４３】
そして、ステップＳ３にて、表示部１４０によって、読み出された手のアイコンが表示画面の端に表示される。
【００４４】
図５は、手のアイコンが表示された表示部１４０の表示画面の一例を示す図である。
【００４５】
図５に示すように、表示部１４０の端に手のアイコン２１０が表示される。このとき、図５に示すように、アイコン２１０は、表示部１４０の大きさと比べて小さく、また表示部１４０の端に表示されるため、表示部１４０に表示されている画面を覆ってしまうことはない。これにより、アイコン２１０の表示が、利用者が現在行っている作業を中断させてしまうことはない。
【００４６】
なお、表示部１４０におけるアイコンの表示は、利用者がセンサー１２０−１〜１２０−２が検知動作を行っていることが認識できるものであれば良く、アイコンの点滅表示であっても良い。
【００４７】
図６は、図１に示した電子機器１００における通知方法の他の例を説明するためのフローチャートである。ここで、図１に示した記憶部１３０には、図２に示した対応付けが記憶されている場合を例に挙げて説明する。また、センサー１２０−１がカメラであり、撮影している顔を検知する場合を例に挙げて説明する。
【００４８】
まず、撮影している対象物についてのセンサー１２０−１の検知動作が開始されると（ステップＳ１１）、センサー１２０−１から表示部１４０へその旨が通知される。
【００４９】
すると、表示部１４０によって、センサー１２０−１のセンサー識別情報と対応付けられている人の顔のアイコンが記憶部１３０に記憶されている対応付けから読み出される（ステップＳ１２）。
【００５０】
そして、表示部１４０によって、読み出された人の顔のアイコンが表示画面の端に表示される（ステップＳ１３）。
【００５１】
また、センサー１２０−１によって、撮影している顔の位置が、センサー１２０−１が顔検知を行うための位置にあるかどうかが判別される（ステップＳ１４）。つまり、カメラに対する顔の位置の修正が必要かどうかが、センサー１２０−１によって判別される。
【００５２】
これは、例えば、センサー１２０−１による顔の検知に、撮影している画像の中の所定の範囲（以下、検知フレームと称する）に顔全体が含まれることが必要である場合、検知フレーム内に顔があるかどうかを判別することにより、実現されるものである。つまり、撮影している顔全体が検知フレーム内に含まれない場合、カメラに対する顔の位置の修正が必要であるとセンサー１２０−１によって判別される。一方、撮影している顔全体が検知フレーム内に含まれている場合、カメラに対する顔の位置の修正が必要ではないとセンサー１２０−１によって判別される。
【００５３】
センサー１２０−１によって、カメラに対する顔の位置の修正が必要であると判別された場合、カメラに対する顔の位置をどのように移動（修正）したら良いかがセンサー１２０−１にて算出される。つまり、顔全体が検知フレーム内に含まれるようにするために、利用者に対して顔の位置をカメラに対してどのように移動（修正）させたらよいかがセンサー１２０−１にて算出される。
【００５４】
例えば、撮影している顔の一部が検知フレームの左側に含まれている場合、カメラに対する顔の位置を、利用者からカメラに向かって左側へ移動したら良いことが算出される。また、撮影している顔の一部が検知フレームの下側に含まれている場合、カメラに対する顔の位置を、利用者からカメラに向かって上側へ移動したら良いことが算出される。
【００５５】
そして、算出結果である差分情報がセンサー１２０−１から表示部１４０へ出力される。
【００５６】
すると、表示部１４０にて、センサー１２０−１から出力されてきた差分情報に基づいた誘導表示が表示部１４０に表示される（ステップＳ１５）。
【００５７】
図７は、誘導表示が表示された表示部１４０の表示画面の一例を示す図である。
【００５８】
図７に示すように、表示部１４０に表示されたアイコン２００の横に誘導表示２２０が表示される。この誘導表示２２０は、センサー１２０−１から出力されてきた差分情報に基づいた表示である。
【００５９】
例えば、センサー１２０−１から、カメラに対する顔の位置を、利用者からカメラに向かって左側へ移動したら良いという差分情報が出力されてきた場合、図７に示すように「顔の位置を少し左へ移動してください」という誘導表示２２０が表示部１４０に表示される。
【００６０】
このような誘導表示の表示により、センサー１２０−１〜１２０−２が検知できる対象物の位置を利用者が認識することができる。
【００６１】
なお、図４、図５および図７に示した表示部１４０は、横方向に長いものであるが、携帯端末のディスプレイのように縦方向に長いものであっても良い。
【００６２】
また、上述した表示部１４０におけるアイコンの表示以外に、音による通知を行うものであっても良い。
【００６３】
図８は、本発明の電子機器の他の実施の形態を示す図である。
【００６４】
本形態における電子機器１０１には図８に示すように、図１に示した電子機器１００の記憶部１３０の代わりに記憶部１３１が設けられ、また音出力部１５０が追加されている。
【００６５】
音出力部１５０は、スピーカー等の音を電子機器１０１の外部へ出力することができるものである。また、音出力部１５０は、センサー１２０−１〜１２０−２から、検知動作を行っている旨が通知されてきた場合、通知したセンサーに応じた音を記憶部１３１から読み出す。
【００６６】
記憶部１３１は、センサー１２０−１〜１２０−２を識別するためのセンサー識別情報と、それに応じた音とをあらかじめ対応付けて記憶している。
【００６７】
図９は、図８に示した記憶部１３１に記憶されているセンサー識別情報と音との対応付けの一例を示す図である。
【００６８】
図８に示した記憶部１３１には図９に示すように、センサー識別情報と音とが対応付けられて記憶されている。図９に示した例では、その対応付けが２組であるが、１組であっても良いし、３組以上であっても良く、センサーの数だけ対応付けが記憶される。
【００６９】
センサー識別情報は、図２に示したものと同じである。
【００７０】
音は、実際の音を出力するための音源ファイルであっても良いし、音源ファイルが格納されている格納場所（メモリ内のアドレスやネットワーク上のサイト等）を示すものであっても良い。
【００７１】
図９に示すように、センサー識別情報「１２０−１」と、音「Ｓｏｕｎｄ  Ａ」とが対応付けられて記憶されている。これは、センサー識別情報が「１２０−１」であるセンサーが検知動作をしているときに音出力部１５０が出力する音は「Ｓｏｕｎｄ  Ａ」であることを示している。また、センサー識別情報「１２０−２」と、「Ｓｏｕｎｄ  Ｂ」とが対応付けられて記憶されている。これは、センサー識別情報が「１２０−２」であるセンサーが検知動作をしているときに音出力部１５０が出力する音は「Ｓｏｕｎｄ  Ｂ」であることを示している。
【００７２】
例えば、図９に示した対応付けが記憶部１３１に記憶されており、センサー識別情報が「１２０−１」であるセンサー１２０−１から検知動作を行っている旨が通知されてきた場合、音出力部１５０は、センサー識別情報「１２０−１」と対応付けられている「Ｓｏｕｎｄ  Ａ」を記憶部１３１から読み出す。また、センサー識別情報が「１２０−２」であるセンサー１２０−２から検知動作を行っている旨が通知されてきた場合、音出力部１５０は、センサー識別情報「１２０−２」と対応付けられている「Ｓｏｕｎｄ  Ｂ」を記憶部１３１から読み出す。
【００７３】
また、音出力部１５０は、記憶部１３１から読み出した音を出力する。
【００７４】
以下、図８に示した電子機器１０１における通知方法について説明する。
【００７５】
図１０は、図８に示した電子機器１０１における通知方法を説明するためのフローチャートである。ここで、図８に示した記憶部１３１には、図９に示した対応付けが記憶されている場合を例に挙げて説明する。また、センサー１２０−１〜１２０−２がカメラであり、撮影している対象物の形状や動きを検知する場合を例に挙げて説明する。
【００７６】
まず、撮影している対象物についてのセンサー１２０−１の検知動作が開始されると（ステップＳ２１）、センサー１２０−１から音出力部１５０へその旨が通知される。
【００７７】
すると、音出力部１５０によって、センサー１２０−１のセンサー識別情報と対応付けられている音「Ｓｏｕｎｄ  Ａ」が記憶部１３１に記憶されている対応付けから読み出される（ステップＳ２２）。
【００７８】
そして、音出力部１５０から、読み出された音「Ｓｏｕｎｄ  Ａ」が電子機器１０１の外部へ出力される（ステップＳ２３）。
【００７９】
また、同様に、ステップＳ２１にて、撮影している対象物についてのセンサー１２０−２の検知動作が開始されると、センサー１２０−２から音出力部１５０へその旨が通知される。
【００８０】
すると、ステップＳ２２にて、音出力部１５０によって、センサー１２０−２のセンサー識別情報と対応付けられている音「Ｓｏｕｎｄ  Ｂ」が記憶部１３１に記憶されている対応付けから読み出される。
【００８１】
そして、ステップＳ２３にて、音出力部１５０から、読み出された音「Ｓｏｕｎｄ  Ｂ」が電子機器１０１の外部へ出力される。
【００８２】
このように、音出力部１５０からセンサー１２０−１〜１２０−２が検知動作をしている旨が通知（出力）されることで、利用者が行っている作業内容の表示部１４０における表示を隠すことなく、利用者が検知動作を認識することができる。
【００８３】
また、上述した表示や音の代わりに、振動や光（例えば、ＬＥＤ等を用いたもの）を用いて、利用者へ通知するものであっても良い。
【００８４】
なお、電子機器１００，１０１は、ＰＣ（Ｐｅｒｓｏｎａｌ  Ｃｏｍｐｕｔｅｒ）やテレビ、携帯端末等、表示部１４０に相当するディスプレイに情報を表示し、表示された情報に対して利用者が所定の操作（入力）を行う装置でも良い。
【００８５】
また、上述した処理を、検知した対象物（顔や手等）の形状や動きと、あらかじめ登録されている形状や動きとを比較し、それらが一致した場合、認証成功とするような認証処理に適用することができることは言うまでもない。
【００８６】
また、上述した処理を用いて、手話を行っている手をセンサーが検知し、検知した結果に基づいて、手話を翻訳し、翻訳した言語を表示部１４０に表示させる処理を具備させておけば、撮影した手話を、利用者が理解することができる。
【００８７】
このように本発明においては、画面表示を見ながら行う作業を中断することなく、センサーが検知している内容を利用者が把握することができる。例えば、利用者が、表示部１４０に表示されているＷｅｂブラウザを使用して作業を行っているときに、顔認証を行ってログインしなければならないページへ移行する場合、顔認証画面がそのブラウザ画面を覆うことなく、顔認証を行うことができる。このとき、表示部１４０に表示された「認証」キーを選択することで顔認証の動作が開始されても、利用者は現在の作業を中断することがない。
【００８８】
上述した電子機器１００，１０１に設けられた各構成要素が行う処理は、目的に応じてそれぞれ作製された論理回路で行うようにしても良い。また、処理内容を手順として記述したコンピュータプログラム（以下、プログラムと称する）を電子機器１００，１０１にて読取可能な記録媒体に記録し、この記録媒体に記録されたプログラムを電子機器１００，１０１に読み込ませ、実行するものであっても良い。電子機器１００，１０１にて読取可能な記録媒体とは、フロッピー（登録商標）ディスク、光磁気ディスク、ＤＶＤ、ＣＤなどの移設可能な記録媒体の他、電子機器１００，１０１に内蔵されたＲＯＭ、ＲＡＭ等のメモリやＨＤＤ等を指す。この記録媒体に記録されたプログラムは、電子機器１００，１０１に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００８９】
１００，１０１    電子機器
１２０−１〜１２０−２    センサー
１３０，１３１    記憶部
１４０    表示部
１５０    音出力部
２００，２１０    アイコン
２２０    誘導表示
【図１】
2012208619.tif 000003
【図２】
2012208619.tif 000004
【図３】
2012208619.tif 000005
【図４】
2012208619.tif 000006
【図５】
2012208619.tif 000007
【図６】
2012208619.tif 000008
【図７】
2012208619.tif 000009
【図８】
2012208619.tif 000010
【図９】
2012208619.tif 000011
【図１０】
2012208619.tif 000012